(57)【特許請求の範囲】
【請求項１】
内外気仕切板により前部および後部に仕切られて、前部通路および後部通路が形成され、
前記前部の上面にデフロスタ吹出口を設け、前記前部の後面上部にフェイス吹出口を設け、
前記後部通路に連通する内外気連通窓を有する後方下がりの内外気シール面を前記前部通路の先端に設けた縦筒状のケーシングと、
前記内外気仕切板を跨いで前記ケーシング内に設置される熱交換器と、
前記ケーシングの左右両側に設けられ、基端が扇状窓を介して前記前部通路に連通し、先端がフット吹出口へ連通し、前記扇状窓より下流側にフット窓を有するフットシール面を略水平に設けたフットダクトと、
前記フットシール面をシールするためのフットシール板部を左右に形成し、前記内外気シール面をシールするための内外気シール板部を前方に行くほど前記フットシール板部との距離が離れる様に傾斜させて設けた断面凹状のフットドア兼内外気連通ドアとを備え、  前記前部通路と前記後部通路とを連通させない場合には前記フットドア兼内外気連通ドアを上方に回動して前記内外気連通窓を前記内外気シール板部で下側からシールし、
前記前部通路と前記後部通路とを連通させる場合には前記フットドア兼内外気連通ドアを下方に回動して前記フット窓を前記フットシール板部で上側からシールする自動車用空調装置。
【請求項２】
前記熱交換器は、前記ケーシングの下部に設置されたエバポレータ、および上部に水平設置されたヒータコアである請求項１記載の自動車用空調装置。
【発明の詳細な説明】
【０００１】
【発明の属する技術分野】
本発明は、自動車用空調装置のデフロスタ吹出口の形成位置の改良に関する。
【０００２】
【従来の技術】
図６〜図９はワンボックスカーの前部に装着される、従来の自動車用空調装置の空調ユニット１を示す。
空調ユニット１は、内外気導入ユニット２と、熱交換ユニット３とを左右に並設するとともに、両者を下部で連結している。
【０００３】
熱交換ユニット３の上部には、フロントガラスのデフロストを行うためのデフロスタ吹出口４２と、主に乗員の上半身に空調空気を吹き出すためのフェイス吹出口４４とが形成されている。
【０００４】
内外気導入ユニット２は、二連のファンを有するタンデム式送風機２１と、外気モード、二層モード、および内気モードを設定するための内外気ダンパ２２を備える。
外気モード時には外気導入口２３から外気２３１が導入される。また、内気モード時には内気導入口２４から内気２４１が導入される。更に、二層モード時には外気導入口２３から外気２３１が導入され、内気導入口２４から内気２４１が導入される。
【０００５】
熱交換ユニット３は、内外気仕切板３１で前後に仕切られた縦筒状の熱交換ダクト３０を有する。熱交換ダクト３０の前部は前部通路３２、後部は後部通路３３になっている。
熱交換ダクト３０の内部には、前部空気流路３２および後部空気流路３３の両方に渡って、下部に空気冷却用のエバポレータＥが傾斜して設置され、上部にエンジンの排熱を利用したヒータコアＨが水平に設置されている。
【０００６】
図７、図８に示す如く、前部空気流路３２の上端には、前上がりに傾斜した内外気連通窓３７が開口している。
また、空調ユニット１の左右側壁には、フット吹出口に連通するフットダクト３８、３８が配設されている。
【０００７】
内外気仕切板３１の上端付近には、図７、図９に示す如く、支軸５１を有するフットドア兼内外気連通ドア５が回動可能に取り付けられており、操作手段（図示せず）により駆動される。
【０００８】
ドア５は、図９に示す如く平板状であり、右回転方向に回動されたときにはフットシール板部５２、５２の下面でフット窓３９、３９を上から塞ぐ。
そして、ドア５が右回転方向に回動され、前上がりに傾斜した位置に設定されたときは、内外気シール板部５３の上面で内外気連通窓３７を下から塞ぐ。
【０００９】
【発明が解決しようとする課題】
ワンボックスカーでは、近年、主にデザイン上の要請からフロントガラスの傾斜を緩くして車両の前方へ延ばす傾向にある。
この様な車両で、デフロスタ効率を高めるには、デフロスタ吹出口４２をできるだけ前位置に設定する必要がある。しかし、従来の平板状のドア５では、ドア５自体が邪魔になってデフロスタ吹出口４２を前位置に設けることができない。このため、デフロスタノズルを延出してデフロスタ吹出口４２をフロントガラス近傍に開口させる必要がある。しかし、デフロスタノズルの影響で、風量の低下や騒音が増大するという不具合が生じる。
【００１０】
本発明の目的は、デフロスタ吹出口を前方に設けることが可能な自動車用空調装置の提供にある。
【００１１】
【課題を解決するための手段】
〔請求項１について〕
フットドア兼内外気連通ドアは断面凹状であり、フットシール面をシールするためのフットシール板部を左右に形成し、内外気シール面をシールするための内外気シール板部を前方に行くほどフットシール板部との距離が離れる様に傾斜させている。
【００１２】
このため、フットドア兼内外気連通ドアが、内外気連通窓を有する内外気シール面をシールする位置を、従来のものより下方に設定することができる。
これにより、デフロスタドアがフットドア兼内外気連通ドアに当たらないようになるので、デフロスタ吹出口を前方（フロントガラス方向）に設けることができ、デフロスタ効率に優れる。なお、デフロスタノズルを延出しないので風量の低下や騒音の増大を招かない。
【００１３】
〔請求項２について〕
前部通路や後部通路を通過する内外気を個別に空調するために、内外気仕切板を跨いで、ケーシングの下部にエバポレータを設置し、ケーシングの上部にヒータコアを水平設置している。
【００１５】
【発明の実施の形態】
図１〜図５は、ワンボックスカーの前部に搭載される空調装置の空調ユニットであり、空調ユニットは、内外気導入ユニット（図６参照）と熱交換ユニット３とを左右に並設するとともに、下部で互いに連結している。
【００１６】
熱交換ユニット３の上面前方にはフロントガラスのデフロストを行うためのデフロスタ吹出口４２が開口し、後面上部には主に乗員の上半身に空調空気を吹き出すためのフェイス吹出口４４、４４、４４が開口している。
【００１７】
内外気導入ユニットは、二連のファンを有するタンデム式送風機２１と、外気モード、二層モード、および内気モードを設定するための内外気ダンパ２２を備え、外気モード、内気モード、および二層モードで作動する（図６参照）。
【００１８】
熱交換ユニット３は、内外気仕切板３１で前後に仕切られた縦筒状の熱交換ダクト３０を有する。熱交換ダクト３０の前部は前部通路３２、後部は後部通路３３になっている。
熱交換ダクト３０の内部には、前部通路３２および後部通路３３の両方に渡って、下部に空気冷却用のエバポレータＥが傾斜して設置され、上部にエンジンの排熱を利用したヒータコアＨが水平に設置されている。
【００１９】
図２、図４、図５に示す如く、前部空気流路３２の上端には、矩形の内外気連通窓３７を有する後方下がりの内外気シール面３６が形成されている。
また、熱交換ユニット３の左右側壁には、フット吹出口に連通するフットダクト３８、３８が配設されている。
【００２０】
フットダクト３８、３８は、基端が扇状窓３８０を介して前部通路３２に連通し、先端がフット吹出口へ連通している。そして、扇状窓３８０より下流側にフット窓３９を有するフットシール面３９１を水平に設けている。
【００２１】
内外気仕切板３１の上端付近には、図２〜図５に示す如く、支軸５１を有するフットドア兼内外気連通ドア５が回動可能に取り付けられており、操作手段（図示せず）により駆動される。
【００２２】
フットドア兼内外気連通ドア５は、図３に示す如く、フットシール面３９１を上方からシールするためのフットシール板部５２を左右に形成し、内外気シール面３６を下方からシールするための内外気シール板部５３を前方に行くほどフットシール板部５２との距離が離れる様に下方に傾斜（本実施例では３０°）させている。なお、傾斜の好適範囲は１５°から３５°である。
【００２３】
このフットドア兼内外気連通ドア５は、前部通路３２と後部通路３３とを連通させない場合（図５の状態）には、上方（時計方向）に回動して内外気連通窓３７を内外気シール板部５３で下側からシールする。また、前部通路３２と後部通路３３とを連通させる場合（図４の実線状態）には、下方（反時計方向）に回動して、フット窓３９を有するフットシール面３９１をフットシール板部５２で上側からシールする。
【００２４】
本実施例の空調ユニットは、以下の利点を有する。
フットドア兼内外気連通ドア５は、図３に示す様に断面凹状であり、内外気シール板部５３を内外気シール板部５３より下方に傾斜する様にオフセットしているので、内外気連通窓３７を有する後方下がりの内外気シール面３６の傾斜を緩く（水平側）することができ、内外気連通窓３７を従来のものより下方に形成することができる。
【００２５】
これにより、デフロスタ吹出口４２に取り付けるデフロスタドアが、フットドア兼内外気連通ドア５に当たり難くなるので、デフロスタ吹出口４２を従来のものより３０ｍｍ前方（フロントガラス方向）に設けることができ、フロントガラスを効率良くデフロストすることができる。なお、デフロスタノズルを延出させる必要がないので風量の低下や騒音の増大を招かない。
【図面の簡単な説明】
【図１】本発明の自動車用空調装置の一実施例に係る、空調ユニットの熱交換ユニット部分の斜視図である。
【図２】その熱交換ユニットを側面から見た概略断面図である。
【図３】フットドア兼内外気連通ドアの斜視図である。
【図４】前部通路と後部通路とを連通させる場合における、フットドア兼内外気連通ドア吹出モード切替ドアの状態を示す斜視図である。
【図５】前部通路と後部通路とを連通させない場合における、フットドア兼内外気連通ドア吹出モード切替ドアの状態を示す斜視図である。
【図６】従来技術に係る空調ユニットの斜視図である。
【図７】その空調ユニットの熱交換ユニット部分を側面から見た概略断面図である。
【図８】その空調ユニットの熱交換ユニット部分を上方から見た概略断面図である。
【図９】従来技術に係るフットドア兼内外気連通ドアの吹出モード切替ドアの斜視図である。
【符号の説明】
３  熱交換ユニット
５  フットドア兼内外気連通ドア
３１  内外気仕切板
３２  前部通路
３３  後部通路
３６  内外気シール面
３７  内外気連通窓
３８  フットダクト
３９  フット窓
４２  デフロスタ吹出口
４４  フェイス吹出口
５２  フットシール板部
５３  内外気シール板部
３８０  扇状窓
３９１  フットシール面
Ｈ  ヒータコア（熱交換器）
Ｅ  エバポレータ（熱交換器）
【図１】
0003890742.tif 000002
【図２】
0003890742.tif 000003
【図３】
0003890742.tif 000004
【図４】
0003890742.tif 000005
【図５】
0003890742.tif 000006
【図６】
0003890742.tif 000007
【図７】
0003890742.tif 000008
【図８】
0003890742.tif 000009
【図９】
0003890742.tif 000010